【手続補正書】
【提出日】平成17年3月11日(2005.3.11)
【手続補正１】
【補正対象書類名】明細書
【補正対象項目名】発明の名称
【補正方法】変更
【補正の内容】
【発明の名称】記録装置および方法、再生装置および方法、記録再生装置および方法、並びに記録媒体
【手続補正２】
【補正対象書類名】明細書
【補正対象項目名】特許請求の範囲
【補正方法】変更
【補正の内容】
【特許請求の範囲】
【請求項１】
複数のデータを記録媒体に記録する記録装置において、
複数の前記データの組み合わせに対して、その上書きの禁止を指定する指定手段と、
所定のデータの記録が指令されたとき、そのデータに対応する前記指定手段による指定を判定する判定手段と、
前記判定手段の判定結果に対応して、前記データの記録媒体への記録を制御する制御手段と
を備えることを特徴とする記録装置。
【請求項２】
前記指定手段は、ファイル単位で前記指定を行う
ことを特徴とする請求項１に記載の記録装置。
【請求項３】
前記指定手段は、前記上書きを禁止する有効期限をさらに指定する
ことを特徴とする請求項１に記載の記録装置。
【請求項４】
前記制御手段は、前記上書きが禁止されているとき、入力されたパスワードに基づいて、前記データの前記記録媒体への記録を制御する
ことを特徴とする請求項１に記載の記録装置。
【請求項５】
前記指定手段による指定を前記記録媒体に記録する記録手段を
さらに備えることを特徴とする請求項１に記載の記録装置。
【請求項６】
複数のデータを記録媒体に記録する記録装置の記録方法において、
複数の前記データの組み合わせに対して、その上書きの禁止を指定する指定ステップと、
所定のデータの記録が指令されたとき、そのデータに対応する前記指定ステップでの指定を判定する判定ステップと、
前記判定ステップでの判定結果に対応して、前記データの記録媒体への記録を制御する制御ステップと
を含むことを特徴とする記録方法。
【請求項７】
複数のデータを記録媒体に記録する記録装置に、
複数の前記データの組み合わせに対して、その上書きの禁止を指定する指定ステップと、
所定のデータの記録が指令されたとき、そのデータに対応する前記指定ステップでの指定を判定する判定ステップと、
前記判定ステップでの判定結果に対応して、前記データの記録媒体への記録を制御する制御ステップと
を含む処理を実行させるコンピュータが読みとり可能なプログラムを記録することを特徴とする記録媒体。
【請求項８】
複数のデータが記録されている記録媒体において、
複数の前記データの組み合わせに対して、その上書きの禁止を指定する指定情報が記録されている
ことを特徴とする記録媒体。
【請求項９】
複数のデータを記録媒体に対して記録または再生する記録再生装置において、
複数の前記データの組み合わせに対して、その上書きの禁止を指定する指定情報を前記記録媒体に記録する記録手段と、
記録が指令されたデータに対応する前記指定情報を前記記録媒体から再生する再生手段と、
前記再生手段により再生された前記指定情報を判定する判定手段と、
前記判定手段の判定結果に対応して、前記データの記録媒体への記録を制御する制御手段と
を備えることを特徴とする記録再生装置。
【請求項１０】
複数のデータを記録媒体に対して記録または再生する記録再生装置の記録再生方法において、
複数の前記データの組み合わせに対して、その上書きの禁止を指定する指定情報を前記記録媒体に記録する記録ステップと、
記録が指令されたデータに対応する前記指定情報を前記記録媒体から再生する再生ステップと、
前記再生ステップで再生された前記指定情報を判定する判定ステップと、
前記判定ステップでの判定結果に対応して、前記データの記録媒体への記録を制御する制御ステップと
を含むことを特徴とする記録再生方法。
【請求項１１】
複数のデータを記録媒体に対して記録または再生する記録再生装置に、
複数の前記データの組み合わせに対して、その上書きの禁止を指定する指定情報を前記記録媒体に記録する記録ステップと、
記録が指令されたデータに対応する前記指定情報を前記記録媒体から再生する再生ステップと、
前記再生ステップで再生された前記指定情報を判定する判定ステップと、
前記判定ステップでの判定結果に対応して、前記データの記録媒体への記録を制御する制御ステップと
を含む処理を実行させるコンピュータが読みとり可能なプログラムを記録することを特徴とする記録媒体。
【請求項１２】
記録媒体からデータを再生する再生装置において、
前記記録媒体に記録されているデータの再生の可否を指定する指定手段と、
前記指定手段による指定を判定する判定手段と、
前記判定手段の判定結果に対応して、前記記録媒体の再生を制御する制御手段と
を備えることを特徴とする再生装置。
【請求項１３】
前記指定手段は、複数の前記データの所定の順番での再生の可否を指定する
ことを特徴とする請求項１２に記載の再生装置。
【請求項１４】
記録媒体からデータを再生する再生装置の再生方法において、
前記記録媒体に記録されているデータの再生の可否を指定する指定ステップと、
前記指定ステップでの指定を判定する判定ステップと、
前記判定ステップでの判定結果に対応して、前記記録媒体の再生を制御する制御ステップと
を含むことを特徴とする再生方法。
【請求項１５】
記録媒体からデータを再生する再生装置に、
前記記録媒体に記録されているデータの再生の可否を指定する指定ステップと、
前記指定ステップでの指定を判定する判定ステップと、
前記判定ステップでの判定結果に対応して、前記記録媒体の再生を制御する制御ステップと
を含む処理を実行させるコンピュータが読みとり可能なプログラムを記録することを特徴とする記録媒体。
【請求項１６】
データが記録されている記録媒体において、
前記データの再生の可否を指定する指定情報が記録されている
ことを特徴とする記録媒体。
【請求項１７】
記録媒体に対してデータを記録する記録装置において、
前記記録媒体に記録されているデータの再生の可否を指定する指定手段と、
前記指定手段による指定を前記記録媒体に記録する記録手段と
を備えることを特徴とする記録装置。
【請求項１８】
記録媒体に対してデータを記録する記録装置の記録方法において、
前記記録媒体に記録されているデータの再生の可否を指定する指定ステップと、
前記指定ステップでの指定を前記記録媒体に記録する記録ステップと
を含むことを特徴とする記録方法。
【請求項１９】
記録媒体に対してデータを記録する記録装置に、
前記記録媒体に記録されているデータの再生の可否を指定する指定ステップと、
前記指定ステップでの指定を前記記録媒体に記録する記録ステップと
を含む処理を実行させるコンピュータが読みとり可能なプログラムを記録することを特徴とする記録媒体。
【請求項２０】
記録媒体に対してデータを記録または再生する記録再生装置において、
前記記録媒体に記録されているデータの再生の可否を指定する指定情報を前記記録媒体に記録する記録手段と、
再生が指令されたデータの前記指定情報を前記記録媒体から再生する再生手段と、
前記再生手段により再生された前記指定情報を判定する判定手段と、
前記判定手段の判定結果に対応して、前記記録媒体からのデータの再生を制御する制御手段と
を備えることを特徴とする記録再生装置。
【請求項２１】
記録媒体に対してデータを記録または再生する記録再生装置の記録再生方法において、
前記記録媒体に記録されているデータの再生の可否を指定する指定情報を前記記録媒体に記録する記録ステップと、
再生が指令されたデータの前記指定情報を前記記録媒体から再生する再生ステップと、
前記再生ステップで再生された前記指定情報を判定する判定ステップと、
前記判定ステップでの判定結果に対応して、前記記録媒体からのデータの再生を制御する制御ステップと
を含むことを特徴とする記録再生方法。
【請求項２２】
記録媒体に対してデータを記録または再生する記録再生装置に、
前記記録媒体に記録されているデータの再生の可否を指定する指定情報を前記記録媒体に記録する記録ステップと、
再生が指令されたデータの前記指定情報を前記記録媒体から再生する再生ステップと、
前記再生ステップで再生された前記指定情報を判定する判定ステップと、
前記判定ステップでの判定結果に対応して、前記記録媒体からのデータの再生を制御する制御ステップと
を含む処理を実行させるコンピュータが読みとり可能なプログラムを記録することを特徴とする記録媒体。
【手続補正３】
【補正対象書類名】明細書
【補正対象項目名】０００１
【補正方法】変更
【補正の内容】
【０００１】
【発明の属する技術分野】
本発明は、記録装置および方法、再生装置および方法、記録再生装置および方法、並びに記録媒体に関し、特に、データの種類毎に上書き禁止を指定することができるようにして、操作性を改善した、記録装置および方法、再生装置および方法、記録再生装置および方法、並びに記録媒体に関する。
【手続補正４】
【補正対象書類名】明細書
【補正対象項目名】０００７
【補正方法】変更
【補正の内容】
【０００７】
【課題を解決するための手段】
請求項１に記載の記録装置は、複数のデータの組み合わせに対して、その上書きの禁止を指定する指定手段と、所定のデータの記録が指令されたとき、そのデータに対応する指定手段による指定を判定する判定手段と、判定手段の判定結果に対応して、データの記録媒体への記録を制御する制御手段とを備えることを特徴とする。
【手続補正５】
【補正対象書類名】明細書
【補正対象項目名】０００８
【補正方法】変更
【補正の内容】
【０００８】
請求項６に記載の記録方法は、複数のデータの組み合わせに対して、その上書きの禁止を指定する指定ステップと、所定のデータの記録が指令されたとき、そのデータに対応する指定ステップでの指定を判定する判定ステップと、判定ステップでの判定結果に対応して、データの記録媒体への記録を制御する制御ステップとを含むことを特徴とする。
【手続補正６】
【補正対象書類名】明細書
【補正対象項目名】０００９
【補正方法】変更
【補正の内容】
【０００９】
請求項７に記載の記録媒体は、複数のデータの組み合わせに対して、その上書きの禁止を指定する指定ステップと、所定のデータの記録が指令されたとき、そのデータに対応する指定ステップでの指定を判定する判定ステップと、判定ステップでの判定結果に対応して、データの記録媒体への記録を制御する制御ステップとを含む処理を実行させるコンピュータが読み取り可能なプログラムを記録することを特徴とする。
【手続補正７】
【補正対象書類名】明細書
【補正対象項目名】００１０
【補正方法】変更
【補正の内容】
【００１０】
請求項８に記載の記録媒体は、複数のデータの組み合わせに対して、その上書きの禁止を指定する指定情報が記録されていることを特徴とする。
【手続補正８】
【補正対象書類名】明細書
【補正対象項目名】００１１
【補正方法】変更
【補正の内容】
【００１１】
請求項９に記載の記録再生装置は、複数のデータの組み合わせに対して、その上書きの禁止を指定する指定情報を記録媒体に記録する記録手段と、記録が指令されたデータに対応する指定情報を記録媒体から再生する再生手段と、再生手段により再生された指定情報を判定する判定手段と、判定手段の判定結果に対応して、データの記録媒体への記録を制御する制御手段とを備えることを特徴とする。
【手続補正９】
【補正対象書類名】明細書
【補正対象項目名】００１２
【補正方法】変更
【補正の内容】
【００１２】
請求項１０に記載の記録再生方法は、複数のデータの組み合わせに対して、その上書きの禁止を指定する指定情報を記録媒体に記録する記録ステップと、記録が指令されたデータに対応する指定情報を記録媒体から再生する再生ステップと、再生ステップで再生された指定情報を判定する判定ステップと、判定ステップでの判定結果に対応して、データの記録媒体への記録を制御する制御ステップとを含むことを特徴とする。
【手続補正１０】
【補正対象書類名】明細書
【補正対象項目名】００１３
【補正方法】変更
【補正の内容】
【００１３】
請求項１１に記載の記録媒体は、複数のデータの組み合わせに対して、その上書きの禁止を指定する指定情報を記録媒体に記録する記録ステップと、記録が指令されたデータに対応する指定情報を記録媒体から再生する再生ステップと、再生ステップで再生された指定情報を判定する判定ステップと、判定ステップでの判定結果に対応して、データの記録媒体への記録を制御する制御ステップとを含む処理を実行させるコンピュータが読みとり可能なプログラムを記録することを特徴とする。
【手続補正１１】
【補正対象書類名】明細書
【補正対象項目名】００１６
【補正方法】変更
【補正の内容】
【００１６】
請求項１５に記載の記録媒体は、記録媒体に記録されているデータの再生の可否を指定する指定ステップと、指定ステップでの指定を判定する判定ステップと、判定ステップでの判定結果に対応して、記録媒体の再生を制御する制御ステップとを含む処理を実行させるプログラムを記録することを特徴とする。
【手続補正１２】
【補正対象書類名】明細書
【補正対象項目名】００２０
【補正方法】変更
【補正の内容】
【００２０】
請求項１９に記載の記録媒体は、記録媒体に記録されているデータの再生の可否を指定する指定ステップと、指定ステップでの指定を記録媒体に記録する記録ステップとを含む処理を実行させるコンピュータが読みとり可能なプログラムを記録することを特徴とする。
【手続補正１３】
【補正対象書類名】明細書
【補正対象項目名】００２３
【補正方法】変更
【補正の内容】
【００２３】
請求項２２に記載の記録媒体は、記録媒体に記録されているデータの再生の可否を指定する指定情報を記録媒体に記録する記録ステップと、再生が指令されたデータの指定情報を記録媒体から再生する再生ステップと、再生ステップで再生された指定情報を判定する判定ステップと、判定ステップでの判定結果に対応して、記録媒体からのデータの再生を制御する制御ステップとを含む処理を実行させるコンピュータが読みとり可能なプログラムを記録することを特徴とする。
【手続補正１４】
【補正対象書類名】明細書
【補正対象項目名】００２４
【補正方法】変更
【補正の内容】
【００２４】
請求項１に記載の記録装置、請求項６に記載の記録方法、請求項７に記載の記録媒体、および請求項８に記載の記録媒体においては、複数のデータの組み合わせに対して、その上書きの禁止が指定される。
【手続補正１５】
【補正対象書類名】明細書
【補正対象項目名】００２５
【補正方法】変更
【補正の内容】
【００２５】
請求項９に記載の記録再生装置、請求項１０に記載の記録再生方法、および請求項１１に記載の記録媒体においては、複数のデータの組み合わせに対して、その上書きの禁止を指定する指定情報が記録媒体に記録され、記録が指令されたデータに対応する指定情報が記録媒体から再生され、その判定結果に対応して、データの記録媒体への記録が制御される。
【手続補正１６】
【補正対象書類名】明細書
【補正対象項目名】００２６
【補正方法】変更
【補正の内容】
【００２６】
請求項１２に記載の再生装置、請求項１４に記載の再生方法、および請求項１５に記載の記録媒体においては、記録媒体に記録されているデータの再生の可否の指定に対応して、記録媒体の再生が制御される。
【手続補正１７】
【補正対象書類名】明細書
【補正対象項目名】００２８
【補正方法】変更
【補正の内容】
【００２８】
請求項１７に記載の記録装置、請求項１８に記載の記録方法、および請求項１９に記載の記録媒体においては、記録媒体に記録されているデータの再生の可否の指定が、記録媒体に記録される。
【手続補正１８】
【補正対象書類名】明細書
【補正対象項目名】００２９
【補正方法】変更
【補正の内容】
【００２９】
請求項２０に記載の記録再生装置、請求項２１に記載の記録再生方法、および請求項２２に記載の記録媒体においては、記録媒体に記録されているデータの再生の可否を指定する指定情報が記録媒体に記録され、再生が指令されたデータの指定情報が記録媒体から再生され、その判定結果に対応して、記録媒体からのデータの再生が制御される。
【手続補正１９】
【補正対象書類名】明細書
【補正対象項目名】００３１
【補正方法】変更
【補正の内容】
【００３１】
請求項１に記載の記録装置は、複数のデータの組み合わせに対して、その上書きの禁止を指定する指定手段（例えば、図１８のflags_for_program）と、所定のデータの記録が指令されたとき、そのデータに対応する指定手段による指定を判定する判定手段（例えば、図３８のステップＳ２６，Ｓ３５）と、判定手段の判定結果に対応して、データの記録媒体への記録を制御する制御手段（例えば、図３８のステップＳ３０，Ｓ３２）とを備えることを特徴とする。
【手続補正２０】
【補正対象書類名】明細書
【補正対象項目名】００３２
【補正方法】変更
【補正の内容】
【００３２】
請求項９に記載の記録再生装置は、複数のデータの組み合わせに対して、その上書きの禁止を指定する指定情報（例えば、図１８のflags_for_program）を記録媒体に記録する記録手段（例えば、図３７のステップＳ１０）と、記録が指令されたデータに対応する指定情報を記録媒体から再生する再生手段（例えば、図３８のステップＳ２１）と、再生手段により再生された指定情報を判定する判定手段（例えば、図３８のステップＳ２６，Ｓ３５）と、判定手段の判定結果に対応して、データの記録媒体への記録を制御する制御手段（例えば、図３８のステップＳ３０，Ｓ３２）とを備えることを特徴とする。
【手続補正２１】
【補正対象書類名】明細書
【補正対象項目名】０２１８
【補正方法】変更
【補正の内容】
【０２１８】
【発明の効果】
以上の如く、請求項１に記載の記録装置、請求項６に記載の記録方法、請求項７に記載の記録媒体、および請求項８に記載の記録媒体によれば、複数のデータの組み合わせに対して、その上書きの禁止を指定するようにしたので、操作性を改善することが可能となる。
【手続補正２２】
【補正対象書類名】明細書
【補正対象項目名】０２１９
【補正方法】変更
【補正の内容】
【０２１９】
請求項９に記載の記録再生装置、請求項１０に記載の記録再生方法、および請求項１１に記載の記録媒体によれば、複数のデータの組み合わせに対して、その上書きの禁止を指定する指定情報を記録媒体に記録し、記録が指令されたデータに対応する指定情報を記録媒体から再生し、再生された指定情報の判定結果に対応して、記録媒体へのデータの記録を制御するようにしたので、データを記録または再生する装置において、操作性を改善することが可能となる。
【手続補正２３】
【補正対象書類名】明細書
【補正対象項目名】０２２０
【補正方法】変更
【補正の内容】
【０２２０】
請求項１２に記載の再生装置、請求項１４に記載の再生方法、および請求項１５に記載の記録媒体によれば、データの再生の可否の指定に対応して、記録媒体の再生を制御するようにしたので、データの再生を記録者が管理することが可能となる。
【手続補正２４】
【補正対象書類名】明細書
【補正対象項目名】０２２２
【補正方法】変更
【補正の内容】
【０２２２】
請求項１７に記載の記録装置、請求項１８に記載の記録方法、および請求項１９に記載の記録媒体によれば、記録媒体に記録されているデータの再生の可否の指定を、記録媒体に記録するようにしたので、その記録媒体を再生することで、データを記録した者がデータの再生を管理することが可能な記録媒体を記録することが可能となる。
【手続補正２５】
【補正対象書類名】明細書
【補正対象項目名】０２２３
【補正方法】変更
【補正の内容】
【０２２３】
請求項２０に記載の記録再生装置、請求項２１に記載の記録再生方法、および請求項２２に記載の記録媒体によれば、記録媒体に記録されているデータの再生の可否を指定する指定情報を記録媒体に記録し、再生が指令されたデータの指定情報を記録媒体から再生し、再生された指定情報の判定結果に対応して、記録媒体からのデータの再生を制御するようにしたので、データを記録した者が、データの再生を確実に管理することが可能となる。